(57)【要約】【課題】外部機器接続状況を装置側で自動的に判定する。【解決手段】ステップＳ１で外部機器からのＯＳＤ表示操作などにより処理が開始されると（Ｓｔａｒｔ）、ステップＳ２において、表示部２１に表示されているＯＳＤ表示における画面固定表示特徴を取得する。次いで、ステップＳ３において、外部機器別ＯＳＤ表示データベース内をステップＳ２で取得した特徴を検索キーとして検索し、ステップＳ４において、一致する表示があれば（ＹＥＳ）ステップＳ６に進み、一致する外部機器の識別情報を取得し、画面等に表示させることで処理を終了する（ｅｎｄ：ステップＳ７）。ステップＳ５４で一致するものがない場合には（ＮＯ）、ステップＳ５に進み、例えば、「一致するものがありません。」などのコーション表示を行う。【選択図】図５
2011082763.tif 000002
【特許請求の範囲】
【請求項１】
情報処理装置と前記情報処理機器の入力端子に接続される外部接続機器とを有するシステムにおいて、前記外部接続機器を特定する外部接続状態判定装置であって、
前記外部接続機器の操作に基づいて前記情報処理装置の表示部に表示されるＯＳＤ表示の特徴を解析するＯＳＤ画面解析部と、
外部機器とＯＳＤ表示の特徴とを対応付けして格納する機器別のＯＳＤ表示データベースと、を有し、
前記ＯＳＤ画面解析部は、前記ＯＳＤ表示の特徴を検索キーとして前記ＯＳＤ表示データベースを検索し、該当する外部機器を特定する処理を行うことを特徴とする外部接続状態判定装置。
【請求項２】
情報処理装置と前記情報処理機器の入力端子に接続される外部接続機器とを有するシステムにおいて、前記外部接続機器を特定する外部接続状態判定装置であって、
前記外部接続機器の操作に基づいて前記情報処理装置の表示部に表示されるメニュー表示の特徴を解析するメニュー画面解析部と、
外部機器とメニュー表示の特徴とを対応付けして格納する機器別のメニュー表示データベースと、を有し、
前記メニュー画面解析部は、前記メニュー表示の特徴を検索キーとして前記メニュー表示データベースを検索し、該当する外部機器を特定する処理を行うことを特徴とする外部接続状態判定装置。
【請求項３】
前記ＯＳＤ表示又は前記メニュー表示は、前記外部機器に記録メディアを挿入して表示させたものであることを特徴とする請求項１又は２に記載の外部機器状態判定装置。
【請求項４】
情報処理装置と前記情報処理機器の入力端子に接続される外部接続機器とを有するシステムにおいて、前記外部接続機器を特定する外部接続状態判定方法であって、
前記外部接続機器の操作に基づいて前記情報処理装置の表示部に表示されるＯＳＤ表示の特徴を解析するＯＳＤ画面解析ステップと、
前記ＯＳＤ画面解析ステップは、前記ＯＳＤ表示の特徴を検索キーとして、外部機器とＯＳＤ表示の特徴とを対応付けして格納する機器別のＯＳＤ表示データベースを検索し、該当する外部機器を特定するステップを含むことを特徴とする外部接続状態判定方法。
【請求項５】
情報処理装置と前記情報処理機器の入力端子に接続される外部接続機器とを有するシステムにおいて、前記外部接続機器を特定する外部接続状態判定方法であって、
前記外部接続機器の操作に基づいて前記情報処理装置の表示部に表示されるメニュー表示の特徴を解析するメニュー画面解析ステップと、
前記メニュー画面解析ステップは、前記メニュー表示の特徴を検索キーとして、外部機器とメニュー表示の特徴とを対応付けして格納する機器別のメニュー表示データベースを検索し、該当する外部機器を特定するステップを含むことを特徴とする外部接続状態判定方法。
【請求項６】
コンピュータに、請求項４又は５に記載の方法を実行させるためのプログラム。
【請求項７】
請求項６に記載のプログラムをコンピュータに実行させるためのコンピュータ読み取り可能な記録媒体。
【発明の詳細な説明】
【技術分野】
【０００１】
本発明は、外部機器接続状態判定技術に関し、特に、デジタル機器などの電子機器の外部入力切り替え端子に接続される外部機器を判定する技術に関する。
【背景技術】
【０００２】
近年、特にデジタル電子機器の進歩に伴って、多数の外部機器を接続して利用することができるようになってきている。例えば、デジタルテレビジョン受信装置などにおいては、３から５程度の入力端子が設けられ、それらの端子に、ＢＤ／ＤＶＤ記録再生装置や、ムービー機器などを接続して、映像の再生、記録などを行うことができる。
【０００３】
ところで、ユーザの多くは、設定を業者など他人に任せている場合が多く、どの入力端子にどの外部機器が接続されているかを知らないで利用している場合が多い。
【０００４】
下記特許文献１に記載の技術は、ネットワークを介して接続された機器において、機器内部にあるモジュールと外部接続されている機器を区別するために、ＩＥＥＥ１３９４シリアルバスを介して接続されている各機器よりＳｅｌｆ  ＩＤパケットを受信し、このパケットを解析することによって、各機器の接続状態を認識するものである。
【先行技術文献】
【特許文献】
【０００５】
【特許文献１】特開２００５−２５９０３７号公報
【発明の概要】
【発明が解決しようとする課題】
【０００６】
しかしながら、例えばデジタルテレビジョン受信装置のサポートに対して電話で連絡を行っている場合などにおいて、デジタルテレビジョン受信装置に接続されている機器が遠隔にいるサポートには認識できず、不具合等に関する具体的な顧客への説明を行うことが出来ないケースが多い。
【０００７】
また、顧客側においても、外部機器の接続状態をうまく説明できない場合も多く、顧客とサポートとの間の認識がずれてしまい、良好なサポートを行えないケースが多々存在する。デジタル機器が接続されている場合には、ＨＤＭＩ接続などがなされている場合に接続元と接続先の機器同士の双方向通信により表示部に入力端子と外部接続機器との情報が表示されるケースもあるが、特に、ＶＨＳビデオレコーダなどのアナログ機器が接続されている場合などにおいては、接続機器を知るためには、コードを辿って機器を確認するなどの煩雑な作業が必要となるという問題がある。このような作業を行っていると結局は的確なサポートができなくなる。
【０００８】
本発明は、外部機器接続状況を装置側で自動的に判定することができる技術を提供することを目的とする。
【課題を解決するための手段】
【０００９】
本発明の一観点によれば、情報処理装置と前記情報処理機器の入力端子に接続される外部接続機器とを有するシステムにおいて、前記外部接続機器を特定する外部接続状態判定装置であって、前記外部接続機器の操作に基づいて前記情報処理装置の表示部に表示されるＯＳＤ表示の特徴を解析するＯＳＤ画面解析部と、外部機器とＯＳＤ表示の特徴とを対応付けして格納する機器別のＯＳＤ表示データベースと、を有し、前記ＯＳＤ画面解析部は、前記ＯＳＤ表示の特徴を検索キーとして前記ＯＳＤ表示データベースを検索し、該当する外部機器を特定する処理を行うことを特徴とする外部接続状態判定装置が提供される。ＯＳＤ表示は、外部機器に特有の形態を有していることから、外部機器の特定に利用することができる。
【００１０】
また、情報処理装置と前記情報処理機器の入力端子に接続される外部接続機器とを有するシステムにおいて、前記外部接続機器を特定する外部接続状態判定装置であって、前記外部接続機器の操作に基づいて前記情報処理装置の表示部に表示されるメニュー表示の特徴を解析するメニュー画面解析部と、外部機器とメニュー表示の特徴とを対応付けして格納する機器別のメニュー表示データベースと、を有し、前記メニュー画面解析部は、前記メニュー表示の特徴を検索キーとして前記メニュー表示データベースを検索し、該当する外部機器を特定する処理を行うことを特徴とする外部接続状態判定装置が提供される。メニュー表示は、外部機器に特有の形態を有していることから、外部機器の特定に利用することができる。
【００１１】
また、前記ＯＳＤ表示又は前記メニュー表示は、前記外部機器に記録メディアを挿入して表示させたものであっても良い。メディアを挿入することで、再生可能であれば、外部機器の種別も特定することができる。
【００１２】
本発明の他の観点によれば、情報処理装置と前記情報処理機器の入力端子に接続される外部接続機器とを有するシステムにおいて、前記外部接続機器を特定する外部接続状態判定方法であって、前記外部接続機器の操作に基づいて前記情報処理装置の表示部に表示されるＯＳＤ表示の特徴を解析するＯＳＤ画面解析ステップと、前記ＯＳＤ画面解析ステップは、前記ＯＳＤ表示の特徴を検索キーとして、外部機器とＯＳＤ表示の特徴とを対応付けして格納する機器別のＯＳＤ表示データベースを検索し、該当する外部機器を特定するステップを含むことを特徴とする外部接続状態判定方法が提供される。
【００１３】
また、情報処理装置と前記情報処理機器の入力端子に接続される外部接続機器とを有するシステムにおいて、前記外部接続機器を特定する外部接続状態判定方法であって、前記外部接続機器の操作に基づいて前記情報処理装置の表示部に表示されるメニュー表示の特徴を解析するメニュー画面解析ステップと、前記メニュー画面解析ステップは、前記メニュー表示の特徴を検索キーとして、外部機器とメニュー表示の特徴とを対応付けして格納する機器別のメニュー表示データベースを検索し、該当する外部機器を特定するステップを含むことを特徴とする外部接続状態判定方法であっても良い。
【００１４】
本発明は、コンピュータに、上記に記載の方法を実行させるためのプログラムであっても良いし、該プログラムをコンピュータに実行させるためのコンピュータ読み取り可能な記録媒体であっても良い。プログラムは、インターネットなどの伝送媒体により取得されたものであっても良い。
【発明の効果】
【００１５】
本発明によれば、外部接続機器を自動的に特定することができる。また、遠隔地との間の連絡にも便利である。
【図面の簡単な説明】
【００１６】
【図１】本発明の実施の形態における接続機器判定システムの一構成例を示す機能ブロック図である。
【図２】本発明の第１の実施の形態において用いられる、外部機器の特徴データと外部機器との対応関係を示すテーブルであり、デジタル放送テレビジョン受信装置内に設けられている機器別ＯＳＤ表示データベースに格納されている外部機器毎の機器別ＯＳＤ表示テーブルの一例を示す図である。
【図３】本発明の第１の実施の形態によるＯＳＤ表示の一例を示す図である。
【図４】本発明の第２の実施の形態によるメニュー表示の一例を示す図である。
【図５】本発明の第１の実施の形態による外部機器判定処理の流れを示すフローチャート図である。第２の実施の形態にも適用できる。
【図６】本発明の第３の実施の形態による外部機器判定技術を用いた判定処理例を示すフローチャート図である。
【発明を実施するための形態】
【００１７】
以下に、本発明の実施の形態による外部機器接続状態判定装置について図面を参照しながら説明を行う。まず、本発明の第１の実施の形態について説明する。本発明の実施の形態による外部機器接続状態判定技術は、情報処理装置のある接続端子に接続されている外部機器（電子機器）に記憶等されているコンテンツ等を再生時において、ユーザの操作に基づくＯＳＤ表示上の特徴に基づいて、外部機器と接続端子との関係を解析し、その関係を表示部に表示させるなどしてユーザに通知することを特徴とする。
【００１８】
まず、本発明の第１の実施の形態による情報処理装置（接続元機器）と外部接続機器（接続先機器）とを含むシステム構成例について、図１を参照しながら説明する。図１に示すように、本実施の形態における接続機器判定システムは、例えば、接続元の電子機器であるデジタル放送テレビジョン受信装置Ａと、外部接続機器群Ｂと、を有している。
【００１９】
デジタル放送テレビジョン受信装置Ａは、アンテナからの放送信号を受信して選局等の処理を行うフロントエンド１と、映像・音声信号と、番組情報などを分離するデマルチプレクサ３と、映像・音声をデコードする映像・音声デコード部５と、音声を出力する音声出力部（スピーカ）７と、表示部２１と、リモコン受光部２３と、制御部（ＣＰＵ）２５と、メモリ部２７と、外部インターフェイス部３１と、通信部３３と、入力部３５と、を有している。さらに、番組情報等をデコードする番組情報デコード部１１と、ＯＳＤデータを生成するＯＳＤデータ生成部１５と、を有している。リモコン受光部２３は、図示しないリモコン装置の操作に基づく信号を受光することにより種々の操作の指示を受ける。また、制御部２５は、後述するＯＳＤ解析部２５ａを有し、メモリ部２７は、機器別ＯＳＤ表示データベース２７ａを有している。映像とＯＳＤ表示とが、画面合成部１７で合成される。尚、入力部は、リモコンを用いずに機器本体で操作を行うためのものである。メニュー画面表示関係については後述する。
【００２０】
外部機器群Ｂは、外部機器５１−１、５１−２、５１−３、…、５１−ｎ（ｎは正の整数）からなり、前述のようにアナログ機器が含まれている場合がある。例えば、外部機器５１−２は、アナログ機器であるが、ＯＳＤ表示指示部５１−２ａを有している。ＯＳＤ表示指示部５１ａは、例えば、外部機器５１−２内のコンテンツの再生操作に基づいて当該コンテンツの再生処理（デジタル放送テレビジョン受信装置Ａの表示部２１、音声出力部７における出力）がなされると、そのコンテンツの内容の信号とともに、コンテンツの再生画面上にＯＳＤ表示を行うためのＯＳＤ信号がデジタルテレビジョン受信装置Ａに送られるように構成されている。例えばコンテンツ再生処理などに起因するＯＳＤ表示指示部５１−２ａからのＯＳＤ表示の指示（信号）に基づいて、デジタルテレビジョン受信装置Ａ内のＯＳＤデータ生成部１５において、ＯＳＤ表示指示に基づくＯＳＤデータが作成され、表示部２１の所定の位置に所定の大きさでＯＳＤ表示が行われる。この際のＯＳＤ表示の形態（形状、位置、大きさなどを含む）は、外部機器の特徴を示す特徴データとして使用することができ、従って、ＯＳＤ解析部２５ａが、この特徴データを抽出し、この特徴データに基づいて、外部機器を特定することができる。
【００２１】
図２は、上記のような外部機器の特徴データと外部機器との対応関係を示すテーブルであり、例えば、デジタル放送テレビジョン受信装置Ａ内に設けられている機器別ＯＳＤ表示データベース２７ａに格納されている外部機器毎の機器別ＯＳＤ表示テーブル（特徴データ）の一例を示す図である。この機器別ＯＳＤ表示データベース２７ａは、予め用意されているのがこのましいが、外部機器の接続に応じてデータを取得し機器別ＯＳＤ表示テーブルが追加されるように構成されていても良い。
【００２２】
図２に示すように、機器別ＯＳＤ表示テーブルは、外部接続機器の機器名（例：ＡＸＢＹ）、型番（例：１２７５６４）などの外部機器を特定する情報（ＩＤ）と、当該外部機器における、例えば再生に関連する操作別のＯＳＤ表示（マークなど）とが機器毎に格納されている。ここでは、例えば、再生操作時に表示されるＯＳＤはＯＳＤ１、停止操作時に表示されるＯＳＤはＯＳＤ２、早送り１（２倍速）の操作時に表示されるＯＳＤはＯＳＤ３、早送り２（３倍速）の操作時に表示されるＯＳＤはＯＳＤ４というように、実際のマークなどの画像等のデータ（図３に例示する）が格納されているのがこのましい。マークの形状、位置、大きさなどをデータとして格納しても良い。また、別の外部機器では、ＯＳＤ表示の全部又は一部が機器ＡＸＢＹとは異なっているため、別の外部機器のＯＳＤ表示指示部５１−２ａの操作とＯＳＤ表示との対応関係の一部又は全部の組み合わせにより、ＯＳＤ解析部２５ａにより、外部機器を識別し、特定することが可能となる。
【００２３】
図３は、外部機器を特定可能な特徴データとして用いるＯＳＤ表示の一例を示す図である。表示部２１の表示画面２１ａには、コンテンツの表示等以外に、何らかの操作を行った場合にそれに対応するＯＳＤ表示がなされ、ユーザに操作が行われたことを知らせる。図３（ａ）では、再生マーク１０１が所定の位置に所定の形状と大きさ（表示全体のサイズ又は他の画像との比較）でＯＳＤ表示されているため、このＯＳＤ表示を検索キーとして、図２に示す機器別ＯＳＤ表示テーブルを検索することで、外部機器を特定することができる。さらに、図３（ｂ）に示すように、再生中に早送り操作を行うと、２倍速での早送りであることを示すマーク１０３が表示部２１の表示画面２１ａ内にＯＳＤ表示される。さらに、３倍速で早送りをすると、図３（ｃ）のように、３倍速での早送りであることを示すマーク１０５が表示部２１の表示画面２１ａ内にＯＳＤ表示される。さらに、再生中に再生の一時停止操作を行うと、図３（ｄ）のように、ある録画コンテンツ１０９（ここでは、テレビの放送局の番組）の再生が一時停止中であることを示すマーク１０７が表示部２１の表示画面２１ａ内にＯＳＤ表示される。
このように、外部機器の再生に伴う特徴的な１又は複数のＯＳＤ表示と、機器別ＯＳＤ表示テーブルとに基づいて、外部機器の特定が可能となる。
【００２４】
図５は、本発明の第１の実施の形態による外部機器判定処理の流れを示すフローチャート図である。図５に示すように、ステップＳ１で外部機器からのＯＳＤ表示操作などにより処理が開始されると（Ｓｔａｒｔ）、ステップＳ２において、表示部２１に表示されているＯＳＤ表示における画面固定表示特徴を取得する。次いで、ステップＳ３において、外部機器別ＯＳＤ表示データベース内をステップＳ２で取得した特徴を検索キーとして検索し、ステップＳ４において、一致する表示があれば（ＹＥＳ）ステップＳ６に進み、一致する外部機器の識別情報を取得し、画面等に表示させることで処理を終了する（ｅｎｄ：ステップＳ７）。ステップＳ４で一致するものがない場合には（ＮＯ）、ステップＳ５に進み、例えば、「一致するものがありません。」などのコーション表示を行う。
【００２５】
尚、上記の例では、コンテンツの再生時のＯＳＤ表示により外部機器を特定する例について説明したが、コンテンツの録画時の録画マーク（画質マークを含む）、残記憶容量マークなどに基づいて、外部機器を特定するようにしても良い。或いは、このデータベースに存在しなければ、その他の外部機器であることを知ることができる。
【００２６】
以上に説明したように、本発明の第１の実施の形態による外部機器判定技術によれば、外部機器の操作に伴うＯＳＤ表示の形態上の特徴等に基づいて、外部機器を特定することができるため、例えば、サポートに連絡した場合などに、外部機器がアナログ機器などであったため、その外部機器の型番などの特定するための情報を得られない場合でも、その外部機器を再生し、ＯＳＤ表示させるような操作を行うことにより、そのＯＳＤ表示を検索キーにして、外部機器のＯＳＤ表示の特徴を予め格納したデータベース内を検索することで、外部機器を特定することが可能となる。特定された外部機器の情報は、表示部２１などに表示させることでユーザに知らせることができる。尚、ＯＳＤ表示に基づく外部機器の特定のタイミングは、外部機器を接続したタイミング、外部機器の使用中のあるタイミング、サポートから聞かれたタイミングなどのいずれでも良い。
【００２７】
次に、本発明の第２の実施の形態による外部機器判定技術について、第１の実施の形態における説明を援用しながら説明を行う。本実施の形態においては、第１の実施の形態における外部機器識別のための特徴として、ＯＳＤ表示の代わりに、メニュー表示を用いる。そのための構成として、図１において、ＯＳＤ解析部２５ａとともに、或いはその代わりにメニュー画面解析部２５ｂが設けられている。さらに、機器別ＯＳＤ表示データベース２７ａとともに、或いはその代わりに、メニュー画面データベース２７ｂが設けられている。また、外部機器５１−２側においては、デジタル放送テレビジョン受信装置Ａにおいて、メニュー表示を行わせるためのメニュー画面表示指示部５１−２ｂが設けられている。このメニュー画面表示指示部５１−２ｂから、メニュー表示の指示が出されると、外部機器５１−２側からのメニュー表示のための情報が送信され、表示部２１にメニュー表示がなされる。すなわち、本実施の形態による技術は、ある接続端子に接続されている外部機器を操作してメニュー等を表示させた場合におけるメニュー表示上の特徴に基づいて、外部機器と接続端子との関係を解析し、その関係を表示部に表示させるなどしてユーザに通知することを特徴とする。
【００２８】
図４は、メニュー表示の一例を示す図である。図４（ａ）は、ジャンル別のリスト表示例を示す図である。表示部２１の表示画面２１ａには、ジャンルのリスト表示１１５ａがなされている。ここでは、ニュース／報道、情報／ワイドショウ、など、ＡＲＩＢの規格で定めされているジャンルがリスト表示１１５され、それぞれのタイトル数（ここでは２２）が表示されている。加えて、現在、フォーカスが当てられているのが「ニュース／報道」の行であることを示す表示１１１と、現在日時やＨＤＤ残時間、画質（ＳＤ）などが表示１１６されている。このようなメニュー表示も、外部機器に特有の配置を有しており、外部機器を特定することができる情報である。
【００２９】
また、図４（ｂ）は、外部機器のチューナを利用してデジタル放送をライブで表示させた際のテレビ側での表示画面の一例を示す図である。この表示画面２１ａにおける特徴としては、符号１２１で示される表示が挙げられる。この表示１２１は、ＬＩＶＥというマーク１２３と、その右に表示されている「デジタル放送」という表示があり、それらの下の行に、符号１２５、１２７、１３１、１３３で示されるようなリスト（マーク）表示がなされる。このようなメニュー表示は、デジタル放送をＬＩＶＥ再生させた場合におけるこの外部機器に特有な表示であり、この表示の形態を外部機器の特徴として利用することができる。
このような特徴的なメニュー表示を検索キーとして、メニュー画面データベース２７ｂ内を検索することで、外部機器を特定することができる。
【００３０】
以上に説明したように、本発明の第２の実施の形態による外部機器判定技術によれば、外部機器の操作に伴うメニュー表示の形態上の特徴に基づいて、外部機器を特定することができるため、例えば、サポートに連絡した場合などに、外部機器がアナログ機器などであったため、その外部機器の型番などの特定するための情報を得られない場合でも、その外部機器を再生し、メニュー表示させるような操作を行うことにより、そのメニュー表示を検索キーにして、外部機器のメニュー表示の特徴を予め格納したデータベース内を検索することで、外部機器を特定することが可能となる。特定された外部機器の情報は、表示部２１などに表示させることでユーザに知らせることができる。尚、メニュー表示に基づく外部機器の特定のタイミングは、外部機器を接続したタイミング、外部機器の使用中のあるタイミングでも良い。
【００３１】
尚、第１、第２の実施の形態とも、図１の通信部３３とネットワーク経由で接続可能であり、機器別ＯＳＤ表示又はメニュー表示データベース（ＤＢ）を有するサポートセンターＳに特徴データを送り、外部機器を特定するようにしても良い。
【００３２】
次に、本発明の第３の実施の形態による外部機器判定技術について説明する。本実施の形態による外部機器判定技術は、予め用意されている複数の記録メディアを外部機器に挿入していき、再生の操作を行った際に、再生が可能であるか否かにより外部機器の概要を特定するものであり、第１、第２の実施の形態との併用がこのましい。図６は、本実施の形態による外部機器判定技術を用いた判定処理例を示すフローチャート図である。図６に示すように処理を開始し（ステップＳ１１）、ステップＳ１２において、例えば第１の記録メディア（例えばＢＤ）を挿入する。これで再生が可能であれば（ステップＳ１３でＹＥＳ）、ステップＳ１４に進み、第１メディアによりＢＤ機器であると判定され、さらに、上記のメディアを再生して特徴を抽出することで外部機器を特定することができる。そして、ステップＳ１９で判定結果を表示させ、処理を終了する（ステップＳ２０）。ステップＳ１３でＮＯの場合には、第２メディア（例えばＤＶＤ）を挿入し、ステップＳ１６で再生可であれば（ＹＥＳ）、ステップＳ１７に進み、第２メディアにより外部機器がＤＶＤ機器であると判定され、さらに、上記のメディアを再生して特徴を抽出することで外部機器を特定することができる。そして、ステップＳ１９で判定結果を表示させ、処理を終了する（ステップＳ２０）。ステップＳ１６でＮＯであれば、ステップＳ１８に進み、第３メディアとしてＣＤを挿入する等の処理を行う。以上の処理により、外部機器の種別と機種を特定することができる。ＶＨＳのビデオテープなどを再生できる場合には、それを挿入して再生することで、特徴表示を抽出し、外部機器を特定することができる。
【００３３】
このように、外部入力機器がメディア挿入が可能である場合には、機器の種別毎の映像情報の入ったメディアを挿入する事で、どのようなメディアを再生可能な機器であるかを判別する。
【００３４】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００３５】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００３６】
また、「コンピュータシステム」は、ＷＷＷシステムを利用している場合であれば、ホームページ提供環境（あるいは表示環境）も含むものとする。
【００３７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００３８】
本発明は、外部機器の判定装置として利用可能である。
【符号の説明】
【００３９】
Ａ…デジタル放送テレビジョン受信装置、１…フロントエンド、３…デマルチプレクサ、５…映像・音声デコード、７…音声出力部（スピーカ）、１１…番組情報デコード部、１５…ＯＳＤデータ生成部、２１…表示部（ディスプレイ）、２３…リモコン受光部、２５…制御部（ＣＰＵ）、２５ａ…ＯＳＤ解析部、２７…メモリ部、２７ａ…機器別ＯＳＤ表示データベース、３１…外部インターフェイス部、３３…通信部、３５…入力部、Ｂ…外部機器群、５１−１、５１−２、５１−３、…、５１−ｎ…外部機器、ＯＳＤ表示指示部５１−２ａ。
【図１】
2011082763.tif 000003
【図２】
2011082763.tif 000004
【図３】
2011082763.tif 000005
【図４】
2011082763.tif 000006
【図５】
2011082763.tif 000007
【図６】
2011082763.tif 000008